(57)【要約】  防水袋（２）の開口部（２０）を溶着して、全開口幅（Ｗ）よりも小さいが電池コアパック（１）を挿入できる挿入開口（２３）を設けて、防水袋（２）に電池コアパック（１）を挿入し、その後、防水袋（２）の開口部（２０）を閉塞して、電池コアパック（１）を入れた防水袋（２）を外装ケース（３）に入れて組み立てる。これにより、電池コアパックを防水袋（２）で防水構造としながら理想的な状態で能率よく組み立てできるようにする。
2016006143.tif 000002
【特許請求の範囲】
【請求項１】
可撓性シートからなる防水袋の開口部から外部に引出線を引き出して電池コアパックを入れる収納工程と、
前記開口部を閉塞する閉塞工程と、
前記電池コアパックを収納してなる前記防水袋を外装ケースに入れる組み立て工程と、からなる電池パックの製造方法であって、
前記収納工程の前工程として、前記開口部の対向する前記可撓性シートを溶着部で溶着して、全開口幅（Ｗ）よりも小さい挿入開口を形成する溶着工程を設け、
この溶着工程において設ける挿入開口の大きさを、前記電池コアパックを挿入できる大きさとして、前記収納工程において、挿入開口から前記電池コアパックを防水袋に挿入することを特徴とする電池パックの製造方法。
【請求項２】
請求項１に記載される電池パックの製造方法であって、
前記溶着工程において形成された前記挿入開口の大きさを、前記電池コアパックが前記防水袋に収納される方向では挿入できず、かつ、前記電池コアパックの方向を変えることで挿入できる大きさとして、前記収納工程において、前記挿入開口から前記電池コアパックを前記防水袋に挿入することを特徴とする電池パックの製造方法。
【請求項３】
請求項１又は２に記載される電池パックの製造方法であって、
前記収納工程の後、前記防水袋に未硬化で液状ないしペースト状のポッティング樹脂を充填する充填工程を設け、この充填工程において、前記電池コアパックを前記ポッティング樹脂に埋設することを特徴とする電池パックの製造方法。
【請求項４】
請求項１ないし３のいずれかに記載される電池パックの製造方法であって、
前記溶着部を細長い溶着ラインとし、
前記閉塞工程において、前記溶着ラインに沿って前記引出線を配置し、さらに、前記引出線に沿って内側溶着ラインを設けて、前記引出線を前記内側溶着ラインと前記溶着ラインとの間に配置して前記防水袋の外部に引き出し、この状態で前記挿入開口をシールして閉塞することを特徴とする電池パックの製造方法。
【請求項５】
請求項１ないし４のいずれかに記載される電池パックの製造方法であって、
前記閉塞工程において、前記防水袋の前記挿入開口をシールして閉塞することを特徴とする電池パックの製造方法。
【請求項６】
請求項１ないし５のいずれかに記載される電池パックの製造方法であって、
前記溶着工程において、前記溶着部を前記開口部の開口縁に対して傾斜する溶着ラインとして設け、前記閉塞工程において、前記溶着ラインに沿って前記引出線を配置して、前記開口部を前記溶着ラインと前記引出線とを折り返すように折曲することを特徴とする電池パックの製造方法。
【請求項７】
可撓性シートからなる防水袋と、
この防水袋に収納されて引出線を前記防水袋から外部に引き出してなる電池コアパックと、
前記電池コアパックを収納してなる前記防水袋を収納してなる外装ケースと、
を備える電池パックであって、
前記防水袋が前記開口部の対向する前記可撓性シートを溶着してなる溶着部でもって、前記防水袋の開口部を全開口幅（Ｗ）よりも狭くしてなる挿入開口を設けており、この挿入開口の大きさを、前記電池コアパックを挿入できる大きさとしてなることを特徴とする電池パック。
【請求項８】
請求項７に記載される電池パックであって、
前記挿入開口を前記電池コアパックが前記防水袋に収納される方向では挿入できず、かつ、前記電池コアパックの方向を変えることで挿入できる大きさとしてなることを特徴とする電池パック。
【請求項９】
請求項７又は８に記載される電池パックであって、
前記防水袋にポッティング樹脂を充填しており、このポッティング樹脂に前記電池コアパックを埋設してなることを特徴とする電池パック。
【請求項１０】
請求項９に記載される電池パックであって、
前記電池コアパックが、複数の電池と、前記電池に接続してなる回路基板と、この回路基板と前記電池とを定位置に配置する電池ホルダを備え、
前記電池ホルダの内部に前記ポッティング樹脂が充填されて、このポッティング樹脂が前記回路基板と前記電池との間に充填されて、前記電池の各々に熱結合状態に配置され、
さらに、前記電池ホルダは、前記回路基板の裏面に前記ポッティング樹脂を充填するための充填開口を有すると共に、この充填開口から充填される前記ポッティング樹脂を前記回路基板と前記電池との間に流入させる下り勾配の傾斜面を有することを特徴とする電池パック。
【請求項１１】
請求項１０に記載される電池パックであって、
前記回路基板の裏面に配置される前記電池が、前記ポッティング樹脂の流入方向に向かって下り勾配に傾斜してなることを特徴とする電池パック。
【請求項１２】
請求項７ないし１１のいずれかに記載される電池パックであって、
前記溶着部が細長い溶着ラインで、この溶着ラインに沿って前記引出線が配置されると共に、前記引出線に沿って内側溶着ラインが設けられて、前記引出線を前記内側溶着ラインと前記溶着ラインとの間に配置されてなることを特徴とする電池パック。
【請求項１３】
請求項１２に記載される電池パックであって、
前記溶着ラインが前記開口部の開口縁に対して傾斜し、前記溶着ラインに沿って前記引出線を配置してなることを特徴とする電池パック。
【請求項１４】
請求項１３に記載される電池パックであって、
前記開口部が、前記溶着ラインと前記引出線とを折り返すように折曲されてなることを特徴とする電池パック。
【発明の詳細な説明】
【技術分野】
【０００１】
本発明は、複数の電池をブロック状としてなる電池コアパックを防水袋に入れて外装ケースに収納してなる電池パックとこの電池パックの製造方法に関する。
【背景技術】
【０００２】
電池パックは、電動アシスト自転車、電動バイク、電動工具、ハイブリッドカー、プラグインハイブリッドカー、電気自動車などの電源として、さらには家庭や店舗などでの蓄電用として幅広く用いられている。これ等の種々の用途において、防水構造の電池パックは屋外で安心して使用できる特徴がある。防水構造の電池パックとして、電池コアパックを防水袋に収納して防水構造として、これを外装ケースに収納してなる構造のものが開発されている。（特許文献１参照）
【先行技術文献】
【特許文献】
【０００３】
【特許文献１】特開２０１２−７９５４７号公報
【発明の概要】
【０００４】
この電池パックは、防水袋に電池コアパックを入れ、電池コアパックに接続している引出線を防水袋から外部に引き出し、さらに、これを外装ケースの出力端子や信号端子に接続して組み立てられる。この電池パックは、電池コアパックを防水袋に収納する状態で次々と複数の工程に搬送して組み立てられるが、このとき防水袋を種々の姿勢とするときに、電池コアパックが防水袋の定位置には配置されずに、外部にはみ出す等の弊害がある。たとえば、防水袋の開口部を折返し、あるいは溶着して防水し、あるいは内部にポッティング樹脂を充填する等の工程で、電池コアパックが防水袋の内部にあって外部にでないようにするのが難しく、このことが、作業工程を遅らせる原因となっている。
【０００５】
本発明は、このような弊害を防止することを目的に開発されたものである。本発明の重要な目的は、電池コアパックを防水袋で防水構造としながら、理想的な状態で能率よく組み立てできる電池パックとその製造方法とを提供することにある。
【０００６】
本発明の電池パックの製造方法は、可撓性シートからなる防水袋２の開口部２０から外部に引出線５を引き出して電池コアパック１を入れる収納工程と、この開口部２０を閉塞する閉塞工程と、電池コアパック１を収納してなる防水袋２を外装ケース３に入れる組み立て工程とからなる。この電池パックの製造方法は、収納工程の前工程として、開口部２０の対向する可撓性シート２１を溶着部２２で溶着して、全開口幅（Ｗ）よりも小さい挿入開口２３を形成する溶着工程を設けている。溶着工程において設ける挿入開口２３の大きさは、電池コアパック１を挿入できる大きさとして、収納工程において、挿入開口２３から電池コアパック１を防水袋２に挿入する。
【０００７】
本発明の電池パックの製造方法は、溶着工程において形成された挿入開口２３の大きさは、電池コアパック１が防水袋２に収納される方向では挿入できず、かつ、電池コアパック１の方向を変えることで挿入できる大きさとして、収納工程において、挿入開口２３から電池コアパック１を防水袋２に挿入することができる。
【０００８】
本発明の電池パックの製造方法は、収納工程の後、防水袋２に未硬化で液状ないしペースト状のポッティング樹脂４を充填する充填工程を設けて、充填工程において、電池コアパック１をポッティング樹脂４に埋設することができる。
【０００９】
本発明の電池パックの製造方法は、溶着部２２を細長い溶着ライン２２Ａとし、閉塞工程において、溶着ライン２２Ａに沿って引出線５を配置し、さらに、引出線５に沿って内側溶着ライン２４を設けて、引出線５を内側溶着ライン２４と溶着ライン２２Ａとの間に配置して防水袋２の外部に引き出し、この状態で挿入開口２３をシールして閉塞することができる。
【００１０】
本発明の電池パックの製造方法は、閉塞工程において、防水袋２の挿入開口２３をシールして閉塞することができる。
【００１１】
本発明の電池パックの製造方法は、溶着工程において、溶着部２２を開口部２０の開口縁に対して傾斜する溶着ライン２２Ａとして設け、閉塞工程において、溶着ライン２２Ａに沿って引出線５を配置して、開口部２０を溶着ライン２２Ａと引出線５とを折り返すように折曲することができる。
【００１２】
本発明の電池パックは、可撓性シートからなる防水袋２と、この防水袋２に収納されて引出線５を防水袋２から外部に引き出してなる電池コアパック１と、電池コアパック１を収納してなる防水袋２を収納してなる外装ケース３とを備える。防水袋２は開口部２０の対向する可撓性シート２１を溶着してなる溶着部２２を有し、この溶着部２２でもって、防水袋２の開口部２０を全開口幅（Ｗ）よりも狭くしてなる挿入開口２３を設けている。挿入開口２３の大きさを、電池コアパック１を挿入できる大きさとしている。
【００１３】
本発明の電池パックは、挿入開口２３は電池コアパック１が防水袋２に収納される方向では挿入できず、かつ、電池コアパック１の方向を変えることで挿入できる大きさとすることができる。
【００１４】
本発明の電池パックは、防水袋２にポッティング樹脂４を充填して、このポッティング樹脂４に電池コアパック１を埋設することができる。
【００１５】
本発明の電池パックは、電池コアパック１を、複数の電池１１と、電池１１に接続してなる回路基板６と、この回路基板６と電池１１とを定位置に配置する電池ホルダ１２とを備える構造として、電池ホルダ１２の内部にはポッティング樹脂４を充填して、このポッティング樹脂４を回路基板６と電池１１との間に充填して、電池１１の各々に熱結合状態に配置し、さらに、電池ホルダ１２は、回路基板６の裏面にポッティング樹脂４を充填するための充填開口１５を設けて、この充填開口１５から充填されるポッティング樹脂４を回路基板６と電池１１との間に流入させる下り勾配の傾斜面１６を有する構造とすることができる。
【００１６】
本発明の電池パックは、回路基板６の裏面に配置している電池１１を、ポッティング樹脂４の流入方向に向かって下り勾配に傾斜して配置することができる。
【００１７】
本発明の電池パックは、溶着部２２を細長い溶着ライン２２Ａとして、この溶着ライン２２Ａに沿って引出線５を配置し、さらに引出線５に沿って内側溶着ライン２４を設けて、引出線５を内側溶着ライン２４と溶着ライン２２Ａとの間に配置することができる。
【００１８】
本発明の電池パックは、溶着ライン２２Ａを開口部２０の開口縁に対して傾斜するように設けて、傾斜する溶着ライン２２Ａに沿って引出線５を配置することができる。
【００１９】
本発明の電池パックは、防水袋２の開口部２０を、溶着ライン２２Ａと引出線５とを折り返すように折曲して防水構造とすることができる。
【００２０】
本発明の電池パックとその製造方法は、電池コアパックを防水袋で防水構造としながら、理想的な状態で能率よく組み立てできる特徴がある。それは、本発明が、防水袋の開口部に開口部を狭くする溶着部を設けて、この溶着部でもって、防水袋の開口部を、全開口幅（Ｗ）よりも狭い挿入開口として内部に電池コアパックを収納しているからである。この電池パックは、電池コアパックを挿入開口から防水袋に収納し、電池コアパックを収納する防水袋に種々の処理をする工程で、あるいはこれを次の組み立て工程に搬送する状態で、電池コアパックが外部に出るのを防止できる。この電池パックは、電池コアパックを防水袋に入れて防水構造としながら、組み立て工程においては、電池コアパックが防水袋から外部に出るのを防止して能率よく組み立てできる特徴がある。
【図面の簡単な説明】
【００２１】
【図１】本発明の一実施例に係る電池パックの概略断面図である。
【図２】電池コアパックを防水袋に収納した状態を示す断面図である。
【図３】図２に示す防水袋の開口部を溶着した状態を示す断面図である。
【発明を実施するための形態】
【００２２】
以下、本発明の実施例を図面に基づいて説明する。本発明の電池パックは、主として屋外で使用される乗り物に装着されて、駆動用のモータに電力を供給する。本発明は、たとえば、アシスト自転車、電動バイク、電動車椅子、電動三輪車、電動カート等の電源として使用される。ただし、本発明は電池パックの用途を特定するものではなく、電動工具等の屋外で使用される種々の電気機器用の電源や、太陽電池と組合せた住宅用の電源として使用することもできる。
【００２３】
図１に示す本発明の電池パック１００は、機器本体に装着されて、機器本体に電力を供給する。このような目的で使用される電池パック１００は、電池コアパック１を防水袋２に入れて、この防水袋２を外装ケース３に収納している。電池コアパック１は、電池ホルダ１２で複数の電池１１を定位置に配置している。電池１１は両端に正負の異なる電極端子を有する円筒形電池である。電池ホルダ１２は、複数の電池１１を互いに平行な姿勢とし、電池両端の電極端子を同一面に配置して多段多列に配置している。電池ホルダ１２に収納している電池１１は、電極端子にリード板（図示せず）を接続して、隣接する電池１１を直列に、あるいは直列と並列に接続している。
【００２４】
電池１１は、充電できるリチウムイオン二次電池であるが、リチウムイオン電池に限定されず、ニッケル水素電池やニッケルカドミウム電池等の充電できる全ての二次電池が使用できる。さらに、本実施例の電池パック１００は、円筒型電池を使用するが、これに限定されず、角型電池や扁平形電池とすることもできる。電池コアパック１は、複数の電池１１を平行な姿勢で多段多列に並べて電池ホルダ１２に収納している。
【００２５】
図１の断面図に示す電池コアパック１は、１５個の電池１１を互いに平行な姿勢として、電池ホルダ１２に配置している。電池ホルダ１２は、電池１１の端部を挿入して、電池１１を定位置に配置する保持筒１３を備えている。電池ホルダ１２は、絶縁材料であるプラスチック等の熱可塑性樹脂によって形成されている。この電池ホルダ１２は、電池１１の長手方向に２分割された形状に成形される。一対の電池ホルダ１２は、電池１１の両端を挿入する状態で互いに連結されて、各々の電池１１を定位置に配置する。電池ホルダ１２は、保持筒１３に電池１１を挿入する状態で、電池表面の一部を露出させる露出開口１４を、電池１１の軸方向に沿って開口して設けている。電池ホルダ１２の保持筒１３に挿入されて定位置に保持される電池１１は、この露出開口１４から電池表面を露出させている。電池１１の露出面は、充填されるポッティング樹脂４に密着して、ポッティング樹脂４に熱伝導して放熱される。
【００２６】
電池ホルダ１２は、電池１１の両端に設けている電極端子を露出させる開口窓を設けている。開口窓から露出する電極端子は、隣の電池１１を直列に接続するリード板を溶接している。さらに、電池１１はリード板を介して、回路基板６に接続されている。回路基板６は、電池１１の保護回路や、電池１１の残容量を表示するＬＥＤ等を実装している。図１の電池コアパック１は、電池ホルダ１２の上部に回路基板６を配置している。回路基板６は、電池ホルダ１２に保持されて定位置に配置される。
【００２７】
図１に示す電池コアパック１は、防水袋２に入れられてポッティング樹脂４が充填される。ポッティング樹脂４はウレタン樹脂などの絶縁性のプラスチックで、電池１１と回路基板６と回路基板６の実装部品７の表面に熱伝導状態に密着して熱を吸収し、電池１１、回路基板６、実装部品７の温度上昇を防止する。ポッティング樹脂４は、未硬化な状態では液状ないしペースト状で、防水袋２に充填されて、回路基板６の下に流入し、さらに電池１１の間に流入されて硬化する。硬化したポッティング樹脂４は、回路基板６の表裏両面に密着して、回路基板６に実装している半導体素子などの実装部品７に密着し、また電池１１の露出面に密着する。回路基板６と実装部品７と電池１１に密着するポッティング樹脂４は、回路基板６と実装部品７と電池１１から熱が伝導されて、これ等の温度上昇を少なくする。回路基板６に実装する実装部品７は、ＦＥＴやダイオードなどの半導体素子で、これ等の発熱はポッティング樹脂４に伝導される。とくに、電池１１の表面に密着するポッティング樹脂４は、一時的に大電流で充放電されて発生する電池１１の熱エネルギを効率よく吸収して、温度上昇を少なくする。
【００２８】
ポッティング樹脂４は、電池１１、実装部品７、回路基板６等の発熱部品の表面に密着させることが大切である。ポッティング樹脂４の密着不良は、発熱部品の発熱を効果的に伝導して放熱できず、実装部品７の温度上昇が大きくなって、正常な動作を保証できなくなる。また、ポッティング樹脂４と電池１１の露出面との密着不良は、電池温度を高くして、電池１１を劣化して寿命を短くする。また、電池温度で充放電の電流を制限する電池パックにおいては、充放電の電流の制限が甚だしくなって、正常な電流で充放電できるタイミングを制限する。
【００２９】
図１の電池コアパック１は、ポッティング樹脂４を理想的な状態で流入させるために独特の構造としている。回路基板６の下面に速やかにポッティング樹脂４を流入せるために、電池ホルダ１２は、回路基板６の側部に、ポッティング樹脂４を充填する充填開口１５を設けている。図１の電池ホルダ１２は、回路基板６の両側に上方に開口するように充填開口１５を設けている。さらに、この電池ホルダ１２は、充填開口１５から充填して流入されるポッティング樹脂４を、回路基板６と電池１１との間、すなわち回路基板６の裏面にもスムーズに流入させるために、下り勾配の傾斜面１６を設けている。図の電池ホルダ１２は、回路基板６の両側に傾斜面１６を設けている。傾斜面１６は、回路基板６の中央部に向かって下り勾配に配置されて、充填開口１５に充填されるポッティング樹脂４を回路基板６の裏面にスムーズに流入させる。
【００３０】
図１の電池ホルダ１２は、回路基板６の両側から外側に傾斜面１６を設けている。したがって、傾斜面１６に沿って流入するポッティング樹脂４は、回路基板６の裏面に流入した後は、電池１１の上面に沿って流れて、電池１１の間に流入する。電池１１の両面に沿って流れるポッティング樹脂４をよりスムーズに回路基板６の中央部まで流入させるために、電池１１を独特の配置とする。すなわち、回路基板６の裏面に配置される電池１１は、ポッティング樹脂４の流入方向に向かって下り勾配に傾斜する位置に配置している。ポッティング樹脂４は、図２の矢印で示す方向に流れて、回路基板６の裏面側に流入する。図１の電池コアパック１は、電池１１を右から左に向かって、１〜６列に配置している。電池１１をポッティング樹脂４の流入方向に向かって下り勾配に配置するために、１列目の電池１１は２列目の電池１１よりも高く、２列目の電池１１は３列目の電池１１よりも高く配置している。また、６列目の電池１１は５列目の電池１１よりも高く、５列目の電池１１は４列目の電池１１よりも高く配置している。ポッティング樹脂４は、回路基板６の両側から中央部に流れるので、電池１１は両側から回路基板６の中央部に向かって下り勾配に位置するように配置される。
【００３１】
以上の電池コアパック１は、電池ホルダ１２の充填開口１５に供給されるポッティング樹脂４を、下り勾配の傾斜面１６に沿って流入し、さらに、傾斜面１６から電池１１の上面に沿って下り勾配に流して回路基板６の裏面の中央部に流入させる。この電池コアパック１は、ポッティング樹脂４を確実に充填するのが難しい回路基板６の裏面側の中央部にも確実に流入できる。このため、回路基板６の裏面にもポッティング樹脂４を充填して回路基板６の表面を理想的な状態でポッティング樹脂４に密着できる。また、下り勾配に配置する電池１１の上面を中央部に向かって流入されるので、ポッティング樹脂４の注入が難しい、回路基板６中央部の下に配置される電池１１の表面にも密着するようにポッティング樹脂４を充填できる。回路基板６は上面にもポッティング樹脂４が充填されるが、回路基板６の上面は、回路基板６の周囲に周壁１７を設け、この周壁１７の内部にポッティング樹脂４を充填してポッティング樹脂４を回路基板６上面の全面に密着できる。
【００３２】
電池コアパック１は、防水性に優れた水密構造を実現するために、防水袋２に電池コアパック１を収納している。とくに、電池コアパック１を防水袋２内で仮固定した状態で、防水袋２から引出線５となるリード線を引き出している。さらに、防水袋２に電池コアパック１を入れて定位置に配置する状態で、ポッティング樹脂４を充填している。
【００３３】
防水袋２は、可撓性シートを袋状に加工して製作される。可撓性シートは、好ましくはプラスチックシートで、このプラスチックシートには、ポリイミド（ＰＩ）、ポリエチレンイミド（ＰＥＩ）、ポリエチレンテレフタレート（ＰＥＴ）等が使用できる。これらのプラスチックシートは、可撓性と耐熱性に優れている特長がある。また、電池１１の安全弁が開弁されたときに排出される電解液によって、溶融し化学反応を起こすこともない。ただ、防水袋に使用される可撓性シートには、上述したもの以外の他のプラスチックシートも使用することができる。
【００３４】
防水袋２は、可撓性のシート材を加工して、所定の形状である袋状に形成される。図２の防水袋２は、筒状の可撓性シートを所定の長さに切断し、筒状の一端、図において底縁を溶着して袋状に加工している。この防水袋２は、底縁のみを溶着して袋状に加工できるので、能率よく多量生産でき、また袋の両側を確実に連結できる。ただし、防水袋は、２枚の可撓性シートを対向して配置して、両側縁と底縁とを溶着して袋状に加工することもできる。この防水袋は、可撓性シートからなる２枚のシートが対向するように配置されて、その両側縁と底縁とが連結される形状となる。
【００３５】
防水袋２は、一端に開口部２０を備えた袋状であり、この開口部２０から電池コアパック１を収納して、この開口部２０から、引出線５を引き出している。この引出線５は、充放電端子や信号線を備えた外装ケース３に固定しているコネクタ（図示せず）に接続される。したがって、防水袋２は、電池コアパック１を収納すると共に、防水袋２の開口部２０から引出線５を外部へ引き出している。また、図２に示すように、防水袋２の開口部２０から防水構造として、引出線５を引き出している。
【００３６】
防水袋２は、電池コアパック１を収納して、引出線５を外部に引き出している。図２の防水袋２は、開口部２０を狭くするために、開口部２０の対向する可撓性シート２１を溶着して溶着部２２を設けている。溶着部２２によって、防水袋２の開口部２０は全開口幅（Ｗ）よりも狭くなり、電池コアパック１を挿入する挿入開口２３としている。防水袋２は、溶着部２２を設けた後、挿入開口２３に電池コアパック１を通過させて内部に入れるので、挿入開口２３の開口幅（ｗ）は、電池コアパック１を挿入できる大きさとしている。ただし、挿入開口２３は、電池コアパック１を挿入できるが、搬送工程などで電池コアパック１が外部に漏れるのを阻止するために、挿入開口２３の大きさは、電池コアパック１が防水袋２に収納される方向では挿入できず、かつ、電池コアパック１の方向を変えることで挿入できる大きさで設けられる。
【００３７】
防水袋２は、電池コアパック１を入れる状態で、ポッティング樹脂４を注入し、あるいは開口部２０を防水構造に加工するので、これ等の工程で能率よく処理できるように、電池コアパック１よりも相当に大きく製作される。たとえば、ポッティング樹脂４を充填するときに、防水袋２の一部を変形し、あるいは防水袋２の内部で電池コアパック１を移動させる等して、必要な部位に確実にポッティング樹脂４を流入し、あるいは、開口部２０を防水処理するために折曲げたり、溶着するとき便利なように、電池コアパック１よりも大きな防水袋２が使用される。大きな防水袋２は全開口幅（Ｗ）が大きく、簡単に電池コアパック１を挿入できるが、挿入した後の処理工程で電池コアパック１が防水袋２から外部に漏れやすい弊害がある。
【００３８】
図２の防水袋２は、この弊害を阻止するために、防水袋２の開口部２０に溶着部２２を設けて、挿入開口２３の開口幅（ｗ）を全開口幅（Ｗ）よりも小さくしている。理想的な挿入開口２３は、電池コアパック１を特定の姿勢、すなわち特定の挿入姿勢でのみ通過できる大きさである。たとえば、図２に示すように細長い電池コアパック１を収納する防水袋２は、挿入開口２３の大きさを、電池コアパック１を長手方向とする挿入姿勢でのみ通過できる大きさとする。この挿入開口２３の防水袋２は、電池コアパック１を長手方向とする挿入姿勢でのみ通過できるので、電池コアパック１が外部に漏れるのを理想的な状態で阻止できる特徴がある。ただ、防水袋２は、挿入開口２３の開口幅（ｗ）を全開口幅（Ｗ）よりも小さくするので、必ずしも電池コアパック１を特定の挿入姿勢でのみ通過できる大きさに制限する必要はない。それは、防水袋２が、挿入開口２３の開口幅（ｗ）を全開口幅（Ｗ）よりも小さくするので、溶着部２２のない防水袋２に比較して、電池コアパック１の漏れを少なくできるからである。特に、挿入開口２３の開口幅（ｗ）が防水袋２に収納される方向での電池コアパック１の幅と高さを加えた値の１１０％以下、特に１０５％以下であれば、電池コアパック１が防水袋２から外部に出るのを防止して能率よく組み立てすることができる。
【００３９】
図２の防水袋２は、開口部２０の両側に溶着部２２を設けて、両側の溶着部２２の間に挿入開口２３を設けている。溶着部２２は細長い溶着ライン２２Ａで、この溶着ライン２２Ａは防水袋２の開口部２０の開口縁に対して、言い換えると側縁に対して傾斜する姿勢で設けられる。溶着ライン２２Ａは、その長さを、例えば２ｃｍ以上で７ｃｍ以下とし、好ましくは３ｃｍ以上で６ｃｍ以下とし、さらに好ましくは約５ｃｍとする。傾斜する溶着ライン２２Ａは、開口部２０に向かって開口幅を次第に広くする方向に傾斜している。この溶着ライン２２Ａの防水袋２は、電池コアパック１をスムーズに挿入しながら、電池コアパック１が外部に漏れることをより確実に防止できる特徴がある。それは、溶着ライン２２Ａに沿って電池コアパック１を挿入できるからである。
【００４０】
防水袋２の内部に電池コアパック１を収納した後、防水袋２は、溶着ライン２２Ａの内側に沿って引出線５を配置して、図３に示すように、引出線５に沿って内側溶着ライン２４が設けられる。内側溶着ライン２４は、溶着ライン２２Ａと同じように、対向する可撓性シート２１を細長い形状に溶着して設けられる。内側溶着ライン２４は引出線５の内側に設けられて、引出線５は内側溶着ライン２４と溶着ライン２２Ａとの間に配置される。内側溶着ライン２４は溶着ライン２２Ａと平行に、防水袋２の開口縁に対して傾斜する姿勢で設けられる。内側溶着ライン２４と溶着ライン２２Ａとの間隔は、ここに引出線５を配置できるように、たとえば約１．５ｃｍとするが、この間隔は、引出線５を配置できる範囲で、できる限り狭くする。
【００４１】
さらに、図３の防水袋２は、開口部２０を防水構造に閉塞するために防水ライン２５を設けている。防水ライン２５は、溶着ライン２２Ａと同じように、開口部２０の対向する可撓性シート２１を細長い形状に溶着して設けられる。この防水ライン２５は、防水袋２の開口縁と平行に設けられる。防水ライン２５は、その両端を両側の内側溶着ライン２４に連結して、防水袋２の開口部２０を防水構造に閉塞する。図３の防水袋２は、防水ライン２５の両端を、内側溶着ライン２４の内側端に連結するように設けている。
【００４２】
電池コアパック１を収納する防水袋２は、外装ケース３に収納される。外装ケース３に収納される防水袋２は、図３の一点鎖線で示すように、開口部２０を折返しライン２６で折返して全体をコンパクトにする。内側溶着ライン２４と溶着ライン２２Ａとの間にあって、防水袋２の開口縁に対して傾斜する姿勢で定位置に配置される引出線５は、開口部２０を折り返す状態で、図３の鎖線で示すように、折返しラインに対して傾斜する姿勢で折り返されて、所定の曲率半径で湾曲される。すなわち、防水袋２の開口部２０を折り返す状態で、引出線５を重ねることなく折り返しできる。また、引出線５を折り返す曲率半径を大きくできる。このことは、折り返した開口部２０を薄くできると共に、引出線５をスムーズに折曲でき、さらに引出線５を小さい曲率半径で折曲して断線する弊害を防止できる。多数の電池１１を内蔵する電池パック１００は充放電容量が大きく、出力電流が大きいので許容電流量の大きい太い引出線５が使用される。太い引出線５は、折り返して重ね合わすと厚くなり、また小さい曲率半径で折曲するのも難しいが、図３に示すように、引出線５を傾斜する姿勢に配置して、防水袋２の開口部２０を折り返すことで、引出線５を重ねることなく、また折曲する曲率半径を大きくして、引出線５の折り返しを簡単にできる。さらに、防水袋２は、開口部２０を２重３重に折り返してコンパクトとし、かつ防水特性を改善して外装ケース３に挿入させることがあるが、この電池パック１００においては、とくに、引出線５を重ねることなく折り返すことで、防水袋２の開口部２０を薄く、スムーズに折り返しできる特徴を実現する。
【００４３】
図３の防水袋２は、開口部２０の両側から引出線５を外部に引き出しているが、この電池パック１００は、防水袋２の片側から出力ラインの引出線５を外部に引き出し、他の側から信号ラインの引出線５を外部に引き出しすることができる。
【００４４】
外装ケース３は、図１の断面図に示すように、電池コアパック１を収納する防水袋２を収納している。外装ケース３は、プラスチックを閉鎖構造の箱形に成形している。外装ケース３は、プラスチックを２分割して成形されて、内部に防水袋２を収納して閉塞される。この外装ケース３は、出力端子と信号端子を有するコネクタ（図示せず）を有し、コネクタに電池コアパック１の引出線５を接続している。
【００４５】
以上の電池パック１００は以下の工程で製造方法される。
１．溶着工程において、防水袋２の開口部２０を細長い形状に溶着して溶着ライン２２Ａを設けて、開口部２０に全開口幅（Ｗ）よりも開口幅（ｗ）の狭い挿入開口２３を設ける。また、溶着工程は、防水袋２の作製時に行われていてもよい。
【００４６】
２．収納工程において、防水袋２に電池コアパック１を挿入する。
その後、溶着ライン２２Ａに沿って引出線５を配置し、さらに、引出線５に沿って防水袋２の開口部２０を内側溶着ライン２４で溶着する。内側溶着ライン２４は引出線５の内側に設けられる。
その後、防水袋２にポッティング樹脂４を充填する。ポッティング樹脂４は、電池ホルダ１２の充填開口１５から内部に注入される。充填開口１５に注入されるポッティング樹脂４は、傾斜面１６に沿って回路基板６の裏面に流入し、さらに、流動方向に向かって下り勾配に傾斜するように配置している電池１１に沿って流れて、回路基板６の裏面と電池１１に密着するように充填される。本願発明は、回路基板６の上面にも充填されて、回路基板６と実装部品７と電池１１とに密着して、すなわち熱結合状態に充填される。
【００４７】
３．その後、閉塞工程において、ポッティング樹脂４を充填した防水袋２に防水ライン２５を設けて、開口部２０を防水構造に閉塞する。防水ライン２５は、その両端を内側溶着ライン２４に連結して設けられる。ポッティング樹脂４は、防水ライン２５を設ける以前に充填されるが、防水ライン２５を設けた後、溶着ライン２２Ａと内側溶着ライン２４との間にノズルを挿入して、防水袋２の内部に充填することもできる。
【００４８】
４．組み立て工程において、電池コアパック１を収納して開口部２０を閉塞している防水袋２を外装ケース３に入れて外装ケース３を閉塞する。電池コアパック１は、防水袋２に入れて防水構造とするので、外装ケース３は防水構造に密閉する必要はない。ただ、外装ケース３を防水構造としてより確実な防水構造とすることもできるのは言うまでもない。
【産業上の利用可能性】
【００４９】
本発明の電池パックは、電池コアパックを防水袋に入れて防水構造とするので、屋外で使用される電動自転車や電動バイクに便利に利用できる。
【符号の説明】
【００５０】
１００…電池パック
１…電池コアパック
２…防水袋
３…外装ケース
４…ポッティング樹脂
５…引出線
６…回路基板
７…実装部品
１１…電池
１２…電池ホルダ
１３…保持筒
１４…露出開口
１５…充填開口
１６…傾斜面
１７…周壁
２０…開口部
２１…対向する可撓性シート
２２…溶着部
２２Ａ…溶着ライン
２３…挿入開口
２４…内側溶着ライン
２５…防水ライン
２６…折返しライン
【図１】
2016006143.tif 000003
【図２】
2016006143.tif 000004
【図３】
2016006143.tif 000005
【国際調査報告】
2016006143.tif 000006
2016006143.tif 000007
2016006143.tif 000008
2016006143.tif 000009